(57)【要約】【課題】手指がドアのハンドル部とドアノブ本体との間隙に挟まれることを防止する挟み込み防止具を提供すること。【解決手段】ドア開閉装置１は、ドア１１を開閉する際に手で掴むドアノブのハンドル部１２と、ドアノブ本体１３と、ドア１１を開閉する際にハンドル部１２を握っている手指がドアノブ本体１３側へ移動することを妨げる挟み込み防止具１４と、を備える。挟み込み防止具１４は、ハンドル部１２に取り付けられる取付部２と、ドアに当接する当接部３と、取付部２と当接部３との間に設けられ、伸縮可能に形成される伸縮部４と、を備える。【選択図】図１
2009287313.tif 000002
【特許請求の範囲】
【請求項１】
開閉自在に設けられたドアの開閉を補助するハンドル部と、前記ドアの閉状態を維持するラッチ機構と、を備え、前記ハンドル部の一端側を前記ドアに対して初期位置から離れる方向に移動させる引き操作により、前記ラッチ機構における前記ドアの閉状態を解除可能にするドア開閉装置の前記ハンドル部に取り付けられる挟み込み防止具であって、
前記ハンドル部に取り付けられる取付部と、
前記ドアに当接する当接部と、
前記取付部と前記当接部との間に設けられ、伸縮可能に形成される伸縮部と、を有する挟み込み防止具。
【請求項２】
前記伸縮部は、一方端側が引き出し可能に収納される伸縮ロッドにより形成される請求項１に記載の挟み込み防止具。
【請求項３】
前記伸縮部は、蛇腹状に形成される請求項１に記載の挟み込み防止具。
【請求項４】
前記伸縮部は、金属により形成される請求項１から３のいずれかに記載の挟み込み防止具。
【請求項５】
前記挟み込み防止具が前記ハンドル部に取り付けられた請求項１から４のいずれかに記載のドア開閉装置。
【発明の詳細な説明】
【技術分野】
【０００１】
本発明は、ドアのハンドル部に取り付けられる挟み込み防止具に関する。
【背景技術】
【０００２】
従来より、開閉用のドアには、ドアの開閉を規制する錠前を備えたドア開閉装置が取り付けられており、このようなドア開閉装置には、通常、ドアの施錠状態を維持するロック部の他、ドアの開閉を補助するハンドル部が設けられている。そして、ドア開閉装置は、一般に、ハンドル部を回転させることにより施錠状態を解除する構成としている（例えば、特許文献１参照）。
【０００３】
ここで、このようなドア開閉装置には、上記の態様の他に施錠状態を解除させるハンドル部を引き操作することにより施錠状態を解除するドア開閉装置がある。このドア開閉装置は、一方側からドアを開く場合にはハンドル部を引き操作することにより、ドアを開閉する構成としている。そして、このようなドア開閉装置は、例えば、図７（ａ）に示すようなコンパートメント出入口等のドア１１に用いられており、ドア１１のハンドル部１２がラッチ式に構成されているものが多い。
【特許文献１】特開平１１−３３６３８４号公報
【発明の開示】
【発明が解決しようとする課題】
【０００４】
しかしながら、上述のラッチ式のドア開閉装置２０は、ハンドル部１２を引き操作した後、ハンドル部１２が初期状態に復帰するようにドアノブ本体１３内にばねが設けられていると共に、ドア１１の開閉時においては、コンパートメント内外の気圧の差により、開閉する際に強い力を必要としていた。これにより、ドア１１の開閉時に、例えば、図７（ｂ）に示すように、作業者が誤ってドアノブ本体１３とハンドル部１２との隙間Ｘに手指Ｈ等を挟んでしまうおそれがあるという問題があった。
【０００５】
本発明は、上記課題に鑑みなされたものであって、ドア開閉装置に取り付けることにより、ドア開閉装置の安全性を向上させることが可能な挟み込み防止具及び挟み込み防止具が取り付けられたドア開閉装置を提供することを目的とする。
【課題を解決するための手段】
【０００６】
本発明者は、伸縮可能に形成される伸縮部を有する挟み込み防止具をドア開閉装置のハンドル部とドアとの間に取り付けることにより、例えば、ハンドル部を握った手指等がドアノブ本体とハンドル部との隙間にかかることを防止することが可能であることを見出し、本発明を完成するに至った。具体的には、以下のような挟み込み防止具を提供することを目的とする。
【０００７】
（１）  開閉自在に設けられたドアの開閉を補助するハンドル部と、前記ドアの閉状態を維持するラッチ機構と、を備え、前記ハンドル部の一端側を前記ドアに対して初期位置から離れる方向に移動させる引き操作により、前記ラッチ機構における前記ドアの閉状態を解除可能にするドア開閉装置の前記ハンドル部に取り付けられる挟み込み防止具であって、前記ハンドル部に取り付けられる取付部と、前記ドアに当接する当接部と、前記取付部と前記当接部との間に設けられ、伸縮可能に形成される伸縮部と、を有する挟み込み防止具。
【０００８】
（２）  前記伸縮部は、一方端側が引き出し可能に収納される伸縮ロッドにより形成される（１）に記載の挟み込み防止具。
【０００９】
（３）  前記伸縮部は、蛇腹状に形成される（１）に記載の挟み込み防止具。
【００１０】
（４）  前記伸縮部は、金属により形成される（１）から（３）のいずれかに記載の挟み込み防止具。
【００１１】
（５）  前記挟み込み防止具が前記ハンドル部に取り付けられた（１）から（４）のいずれかに記載のドア開閉装置。
【発明の効果】
【００１２】
本発明によれば、ドア開閉装置に取り付けることにより、ドア開閉装置における安全性を向上させることが可能な挟み込み防止具及び挟み込み防止具が取り付けられたドア開閉装置を提供することができる。
【発明を実施するための最良の形態】
【００１３】
以下、本発明の実施形態について図面を参照しながら説明する。なお、本発明の実施形態は、下記の実施例に何ら限定されることなく、本発明の技術的範囲は、これに限定されるものではない。
【００１４】
図１は、本発明の第１実施形態に係るドア開閉装置１を示す平面図である。図２は、本発明の第１実施形態に係る挟み込み防止具１４を示す平面図である。図３は、本発明の第１実施形態に係る挟み込み防止具１４の伸縮部の詳細を示す断面図である。図４（ａ）は、挟み込み防止具１４が取り付けられたハンドル部１２の初期状態を示す図であり、（ｂ）は、挟み込み防止具１４が取り付けられたハンドル部１２の引き操作状態を示す図である。本発明の第１実施形態に係るドア開閉装置１の使用状態を示す平面図である。図５は、本発明の第２実施形態に係るドア開閉装置１Ａを示す平面図である。図６は、本発明の第２実施形態に係る挟み込み防止具１４Ａを示す平面図である。
【００１５】
［第１実施形態］
１．全体構成
ドア開閉装置１は、ドア１１のロック状態（閉状態）を維持可能なラッチ機構を備えたドアノブ本体１３とハンドル部１２とが連結される連結軸１９を中心に、ハンドル部１２を回動させように引き操作することにより、ラッチ機構におけるドア１１のロック状態を解除し、ドア１１が開放可能に構成されたドア１１に取り付けられるものである。ドア開閉装置１は、例えば、コンパートメント等の出入り口に設けられるドア１１に取り付けられる。
【００１６】
図１に示すように、第１実施形態に係るドア開閉装置１は、上述のラッチ機構を備えたドアノブ本体１３と、ドアノブ本体１３と連結され、引き操作によりドア１１のロック状態（閉状態）を解除すると共に、ドア１１の開閉を補助するハンドル部１２と、ハンドル部１２に取り付けられる挟み込み防止具１４と、を主体に構成されている。
【００１７】
ドアノブ本体１３にはその内部にばね（図示せず）が設けられており、ドアノブ本体１３とハンドル部１２とは、ハンドル部１２を引き操作した後、ハンドル部１２がばね（図示せず）の弾性力により自動的に初期状態に復帰可能に連結されている。
【００１８】
挟み込み防止具１４は、上述のように構成されたハンドル部に一端側が固定されると共に、他端側がドア１１に接着するように取り付けられる。つまり、ハンドル部１２とドア１１とを連結させるように設けられる。また、挟み込み防止具１４は、その中央部に伸縮可能な伸縮部４を備えている。これにより、挟み込み防止具１４は、ハンドル部１２を引き操作し、ハンドル部１２がドア１１に対して離れる方向に回動した場合においても、ハンドル部１２の回動に追従して伸張し、ハンドル部１２とドア１１とを連結した状態を維持可能となる。以下、挟み込み防止具１４について詳述する。
【００１９】
１−１．挟み込み防止具
図２に示すように、挟み込み防止具１４は、伸縮可能に形成された伸縮部４と、伸縮部４の一方端側に設けられ、ハンドル部１２に取り付けられる取付部２と、伸縮部４の他方端側に設けられ、ドア１１に当接するように設けられる当接部３と、を備える。言い換えると、伸縮部４は、取付部２と当接部３との間に設けられるように形成される。
【００２０】
１−１−１．取付部
取付部２は、伸縮部４の一方端側である挟み込み防止具１４の一方端側に設けられている。取付部２は、一組の帯状の面ファスナ２ａ、２ｂにより形成されており、具体的には、雄の面を構成する雄状面ファスナ２ａと、雌の面を構成する雌状面ファスナ２ｂにより形成されている。
【００２１】
取付部２は、ドアノブ本体１３に接続されたハンドル部１２に雄状及び雌状面ファスナ２ａ、２ｂそれぞれを巻き付け、雄の面と雌の面とを互いに接着させることにより挟み込み防止具１４をハンドル部１２に取り付け可能となる。
【００２２】
１−１−２．当接部
当接部３は、伸縮部４の他方端側である挟み込み防止具１４の他方端側に設けられている。当接部３は、ドア１１に当接された状態が維持可能であればよく、本実施形態においては、弾性材料で形成された吸盤により構成されている。当接部３は、吸盤をドア１１に接着させることによりハンドル部１２とドア１１との連結を可能とさせる。
【００２３】
１−１−３．伸縮部
図３に示すように、伸縮部４は、第１円筒部材１５と、第２円筒部材１６と、第３円筒部材１７と、第４円筒部材１８と、を主体に構成され、第２、第３及び第４円筒部材１６、１７、１８が一方端側から引き出し可能に第１円筒部材１５に収納されている。言い換えると、伸縮部４はいわゆる伸縮ロッド状により形成されている。
【００２４】
具体的には、第４円筒部材１８が第３円筒部材１７の内部に収容され、第４円筒部材１８を収容した第３円筒部材１７が第２円筒部材１６の内部に収容され、第４円筒部材１８及び第３円筒部材１７を収容した第２円筒部材１６が第１円筒部材１５の内部に収容されるように構成されている。そして、第４、第３及び第２円筒部材１８、１７、１６を第１円筒部材１５の内部から引き出したり、第１円筒部材１５の内部に収容させたりすることにより、伸縮部４は伸縮可能になる。
【００２５】
第１円筒部材１５は、第４、第３及び第２円筒部材１８、１７、１６それぞれを収容する収容部を構成し、第１円筒部材胴部１５ａと、第１円筒部材下部フランジ１５ｂと、第１円筒部材上部フランジ１５ｃと、を備える。
【００２６】
第１円筒部材胴部１５ａは、中空状の円筒部材により形成されている。また、第１円筒部材胴部１５ａの下部（伸縮部４の収納方向側）は、ハンドル部１２と当接するため、ハンドル部１２のドア１１側の傾斜面１２ａに沿うように形成されている。第１円筒部材下部フランジ１５ｂは、第１円筒部材胴部１５ａの下部に設けられ、第１円筒部材胴部１５ａの下部周縁に沿って外方に円環状に形成されている。なお、第１円筒部材下部フランジ１５ｂは、ハンドル部１２のドア１１側の傾斜面１２ａに沿って形成されている。第１円筒部材上部フランジ１５ｃは、第１円筒部材胴部１５ａの上部（伸縮部４の引出方向側）に設けられ、第１円筒部材胴部１５ａの上部周縁に沿って内方に円環鍔状に形成されている。
【００２７】
第２円筒部材１６は、第２円筒部材胴部１６ａと、第２円筒部材下部フランジ１６ｂと、第２円筒部材上部フランジ１６ｃと、を備える。第２円筒部材胴部１６ａは、中空の円筒部材により形成されており、第２円筒部材胴部外径ｄ５は第１円筒部材上部フランジ内径ｄ２より小さく形成されている。第２円筒部材下部フランジ１６ｂは、第２円筒部材胴部１６ａの下部に設けられ、第２円筒部材胴部１６ａの下部周縁に沿って外方に円環鍔状に形成されている。第２円筒部材下部フランジ外径ｄ３は、第１円筒部材上部フランジ内径ｄ２より大きく、第１円筒部材胴部内径ｄ１より小さく形成される。第２円筒部材上部フランジ１６ｃは、第２円筒部材胴部１６ａの上部（伸縮部４の引出方向側）に設けられ、第２円筒部材胴部１６ａの上部周縁に沿って内方に円環鍔状に形成されている。
【００２８】
第２円筒部材１６は、第１円筒部材１５の内部に挿入され、第２円筒部材胴部外径ｄ５は第１円筒部材上部フランジ内径ｄ２より小さく、第２円筒部材下部フランジ外径ｄ３は、第１円筒部材上部フランジ内径ｄ２より大きく、第１円筒部材胴部内径ｄ１より小さく形成されているため、第１円筒部材１５と第２円筒部材１６は、第２円筒部材１６が第１円筒部材１５の内部から引出自在（伸縮自在）に形成されることとなる。
【００２９】
第３円筒部材１７は、第３円筒部材胴部１７ａと、第３円筒部材下部フランジ１７ｂと、第３円筒部材上部フランジ１７ｃと、を備える。第３円筒部材胴部１７ａは、中空の円筒部材により形成されており、第３円筒部材胴部外径ｄ９は第２円筒部材上部フランジ内径ｄ６より小さく形成されている。第３円筒部材下部フランジ１７ｂは、第３円筒部材胴部１７ａの下部に設けられ、第３円筒部材胴部１７ａの下部周縁に沿って外方に円環鍔状に形成されている。第３円筒部材下部フランジ外径ｄ７は、第２円筒部材上部フランジ内径ｄ６より大きく、第２円筒部材胴部内径ｄ４より小さく形成される。第３円筒部材上部フランジ１７ｃは、第３円筒部材胴部１７ａの上部（伸縮部４の引出方向側）に設けられ、第３円筒部材胴部１７ａの上部周縁に沿って内方に円環鍔状に形成されている。
【００３０】
第３円筒部材１７は、第２円筒部材１６の内部に挿入され、第３円筒部材胴部外径ｄ９は第２円筒部材上部フランジ内径ｄ６より小さく、第３円筒部材下部フランジ外径ｄ７は、第２円筒部材上部フランジ内径ｄ６より大きく、第２円筒部材胴部内径ｄ４より小さく形成されているため、第２円筒部材１６と第３円筒部材１７は、第３円筒部材１７が第２円筒部材１６の内部から引出自在（伸縮自在）に形成されることとなる。
【００３１】
第４円筒部材１８は、伸縮部４の引出方向における先端部を構成し、第４円筒部材胴部１８ａと、第４円筒部材下部フランジ１８ｂと、第４円筒部材上部フランジ１８ｃと、を備える。
【００３２】
第４円筒部材胴部１８ａは、中空の円筒部材により形成されており、第４円筒部材胴部外径ｄ１３は第３円筒部材上部フランジ内径ｄ１０より小さく形成されている。第４円筒部材下部フランジ１８ｂは、第４円筒部材胴部１８ａの下部に設けられ、第４円筒部材胴部１８ａの下部周縁に沿って外方に円環鍔状に形成されている。第４円筒部材下部フランジ外径ｄ１１は、第３円筒部材上部フランジ内径ｄ１０より大きく、第３円筒部材胴部内径ｄ８より小さく形成される。第４円筒部材上部フランジ１８ｃは、第４円筒部材胴部１８ａの上部（伸縮部４の引出方向側）に設けられ、ドア１１のドア面１１ａに沿うように形成される。
【００３３】
第４円筒部材１８は、第３円筒部材１７の内部に挿入され、第４円筒部材胴部外径ｄ１３は第３円筒部材上部フランジ内径ｄ１０より小さく、第４円筒部材下部フランジ外径ｄ１１は、第３円筒部材上部フランジ内径ｄ１０より大きく、第３円筒部材胴部内径ｄ８より小さく形成されているため、第３円筒部材１７と第４円筒部材１８は、第４円筒部材１８が第３円筒部材１７の内部から引出自在（伸縮自在）に形成されることとなる。
【００３４】
なお、第１円筒部材１５、第２円筒部材１６、第３円筒部材１７及び第４円筒部材１８それぞれは、金属製材料により形成されている。
【００３５】
２．使用方法
次に、ドア開閉装置１の使用方法について説明する。
【００３６】
最初に、挟み込み防止具１４のドア開閉装置への取り付けについて説明する。まず、作業者は、挟み込み防止具１４の取付部２に設けられた雄状及び雌状面ファスナ２ａ、２ｂをハンドル部１２に巻き付け、雄の面と雌の面とを互いに接着させることによりハンドル部１２に固定させる。次に、挟み込み防止具１４の当接部３の吸盤を対象となるドアに接着させる。これにより、挟み込み防止具１４の取り付けが完了する。
【００３７】
このようにハンドル部１２に取り付けられた挟み込み防止具１４は、図４（ａ）に示すように、ドアノブ本体１３の内部に設けられたばね（図示せず）により、ドア１１とハンドル部１２との間に挟持された状態で保持される。このときドア開閉装置１は、ドア１１の閉状態を構成する。つまり、ドア１１が閉じられた状態である。
【００３８】
ドア１１の閉状態においては、ハンドル部１２は、ドアノブ本体１３とハンドル部との連結軸１９を中心にハンドル部１２を引き操作されていない状態であり、この状態は、ハンドル部１２の初期状態を構成する。初期状態においては、挟み込み防止具１４は、一方端が当接部３によりドアに当接されると共に、他方端は取付部２によりハンドル部１２に締結されているため、両端が固定された状態で縮んだ状態となる。
【００３９】
具体的には、ハンドル部１２により、ドア１１の方側に付勢された状態で伸縮部４の第１円筒部材１５、第２円筒部材１６、第３円筒部材１７、第４円筒部材１８がそれぞれの内部に押し込まれて、ロッドが縮んだような状態となっている。
【００４０】
次に、図４（ｂ）に示すように、上述のドア１１の閉状態からハンドル部１２をドア１１に対して離れる方向に移動させる引き操作をすることにより、ドア１１が明けられる状態について説明する。
【００４１】
このときドア開閉装置１は、ドア１１の開状態を構成する。挟み込み防止具１４は、ハンドル部１２がドア１１に対して離れる方向に回動した場合においては、挟み込み防止具１４に設けた伸縮部４がハンドル部１２の回動に追従して伸張するため、ハンドル部１２とドア１１とを連結した状態を維持可能となる。つまり、挟み込み防止具１４の当接部３がドア１１に吸着され、取付部２がハンドル部に締結されるとともに、伸縮部４がハンドル部１２の回動に追従して伸張するため、ハンドル部１２とドア１１とを連結した状態を維持可能となる。
【００４２】
具体的には、伸縮部４は、当接部３がドア１１に吸着され、取付部２がハンドル部に締結されるとともに、第１円筒部材１５、第２円筒部材１６、第３円筒部材１７、第４円筒部材１８のそれぞれが、それぞれの上部及び下部フランジに引っ掛かりながらロッド状に伸張した状態となり、伸縮する。
【００４３】
このように、本実施形態によると、挟み込み防止具１４は、伸縮部４がハンドル部１２の回動と連動するように伸張することにより、ハンドル部１２の引き操作時においても、ハンドル部１２とドア１１との間を連結した状態を維持することが可能となるため、ハンドル部１２を把持した者の手指Ｈがドアノブ本体１３側に移動してしまうことを妨げることが可能になる。これにより、ドアノブ本体１３とハンドル部１２との隙間に手指等を挟んでしまうことも防止することが可能になる。
【００４４】
また、挟み込み防止具は、伸縮部を有するためハンドル部の引き操作に追従して伸縮させることが可能になる。これにより、上述と同様に、ハンドル部を把持してドアを開閉操作する際にハンドル部とドアの間に形成される間隙に、指等が挟まれることを防止することが可能になる。
【００４５】
また、挟み込み防止具は、金属により形成することにより、経年劣化等による破損や脱落等を防ぐことが可能となる。
【００４６】
なお、本実施形態においては、当接部３を吸盤状として、ドア１１に吸着させる構成としたが、本発明においてはこれに限らない。例えば、ドアの開閉時において伸縮部の一方側の端部がドア１１に当接可能であればよく、例えば、一方端側をドア１１に溶接することにより接合してもよい。また、ハンドル部１２側からドア１１側に向けて付勢させることによりドア１１と一方端側とを当接させてもよい。
【００４７】
また、本実施形態においては、取付部２を面ファスナ２ａ、２ｂにより形成したが、本発明においてはこれに限らない。取付部２は、伸縮部の他端側をハンドル部１２に接合可能であればよく、例えば、溶接等により接合してもよい。また、円環状の弾性部材を他端部側に取り付け、円環状の弾性部材をハンドル部１２に取り付ける構成としてもよい。
【００４８】
［第２実施形態］
次に、本発明の第２実施形態に係るドア開閉装置１Ａについて説明する。なお、以下の実施形態において、特に説明しない部分は、第１実施形態と同様であり、図面に付した番号も第１実施形態と同様である場合は、同じ番号を付している。
【００４９】
図５及び図６に示すように、第２実施形態に係るドア開閉装置１Ａは、挟み込み防止具１４Ａを構成する伸縮部４Ａを弾性部材であるゴムにより形成した蛇腹状にすることにより、伸縮可能としていることにおいて、第１実施形態と異なる。
【００５０】
このように、伸縮部４Ａを蛇腹状に形成することにより、例えば、取付部２のハンドル部１２への取り付け位置がずれた場合にも撓みにより位置ずれの吸収が可能となる。
【００５１】
なお、本実施形態においては、伸縮部４Ａは、ゴム製の蛇腹状で形成したが、本発明においてはこれに限らない。伸縮部４Ａは、伸縮可能であればよく、例えば、ゴム以外の弾性材量により形成されたものであってもよい。
【００５２】
また、例えば、伸縮部４Ａにおける蛇腹形状を金属製材料により形成したものであってもよい。
【００５３】
さらに、伸縮部４Ａは、伸縮可能に形成した金属材料をゴム等の弾性材料で覆う構成としてもよい。
【図面の簡単な説明】
【００５４】
【図１】本発明の第１実施形態に係るドア開閉装置１を示す平面図である。
【図２】本発明の第１実施形態に係る挟み込み防止具１４を示す平面図である。
【図３】本発明の第１実施形態に係る挟み込み防止具１４の伸縮部の詳細を示す断面図である。
【図４】（ａ）は、挟み込み防止具が取り付けられたハンドル部の初期状態を示す図であり、（ｂ）は、挟み込み防止具が取り付けられたハンドル部の引き操作状態を示す図である。
【図５】本発明の第２実施形態に係るドア開閉装置１Ａを示す平面図である。
【図６】本発明の第２実施形態に係る挟み込み防止具１４Ａを示す平面図である。
【図７】従来のドアノブを示す説明図である。
【符号の説明】
【００５５】
１、１Ａ    ドア開閉装置
２    取付部
２ａ、２ｂ    面ファスナ
３    当接部
４、４Ａ    伸縮部
１１    ドア
１２    ハンドル部
１３    ドアノブ本体
１４、１４Ａ    挟み込み防止具
１５    第１円筒部材
１６      第２円筒部材
１７      第３円筒部材
１８      第４円筒部材
２０    ドアノブ
Ｈ    手指
【図１】
2009287313.tif 000003
【図２】
2009287313.tif 000004
【図３】
2009287313.tif 000005
【図４】
2009287313.tif 000006
【図５】
2009287313.tif 000007
【図６】
2009287313.tif 000008
【図７】
2009287313.tif 000009